(57)【要約】【課題】変換元画像のアスペクト比を変更して変換後画像を生成する際、必要に応じて変換後画像の撮影範囲を拡大する。【解決手段】変換元画像Ｐ１のアスペクト比を変更して変換後画像Ｐ２を生成する際、変換後画像Ｐ２の倍率が変換元画像Ｐ１よりも低い場合は、変換元画像Ｐ１を当該倍率に応じて縮小した後、当該縮小した変換元画像Ｐ１に余白Ｓｌ、Ｓｒを付すとともに、必要に応じて当該倍率に応じた切捨領域Ｃｕ、Ｃｄを切り捨てることにより変換後画像Ｐ２を生成する。【選択図】図３
2008199210.tif 000002
【特許請求の範囲】
【請求項１】
第１のアスペクト比で画像を撮像する撮像手段と、
上記撮像手段で撮像された上記第１のアスペクト比でなる変換元画像の一部領域を切捨領域として切り捨てることにより、当該第１のアスペクト比と異なる第２のアスペクト比でなる変換後画像に変換するとともに、指定された上記変換後画像の倍率が上記変換元画像よりも低い場合は、上記変換元画像を上記倍率に応じて縮小した後、当該縮小した変換元画像に余白を付すとともに、必要に応じて当該倍率に応じた上記切捨領域を切り捨てることにより上記変換後画像を生成する画像処理手段と
を具えることを特徴とする撮影装置。
【請求項２】
上記第２のアスペクト比は上記第１のアスペクト比より横長であって、
上記画像処理手段は、
上記変換元画像の上下の領域を上記切捨領域として切り捨てて上記変換後画像を生成するとともに、指定された上記変換元画像の上記撮影倍率が上記変換元画像よりも低い場合は、上記縮小した変換元画像の横方向に上記余白を付して上記変換後画像を生成する
ことを特徴とする請求項１に記載の撮影装置。
【請求項３】
上記第２のアスペクト比は上記第１のアスペクト比より縦長であって、
上記画像処理手段は、
上記変換元画像の左右の領域を上記切捨領域として切り捨てて上記変換後画像を生成するとともに、指定された上記変換元画像の上記撮影倍率が上記変換元画像よりも低い場合は、上記縮小した変換元画像の縦方向に上記余白を付して上記変換後画像を生成する
ことを特徴とする請求項１に記載の撮影装置。
【請求項４】
上記撮像手段は撮影画角を光学的に変更する画角変更手段を具え、
上記画像処理手段は、上記撮像手段の撮影画角が広角端にある状態で上記変換元画像を上記倍率に応じて縮小した後、当該縮小した変換元画像に余白を付すとともに、必要に応じて当該倍率に応じた上記切捨領域を切り捨てることにより、上記変換後画像を生成する
ことを特徴とする請求項１に記載の撮影装置。
【請求項５】
撮像手段で撮像された第１のアスペクト比でなる変換元画像の一部領域を切捨領域として切り捨てることにより、当該第１のアスペクト比と異なる第２のアスペクト比でなる変換後画像に変換するとともに、指定された上記変換後画像の倍率が上記変換元画像よりも低い場合は、上記変換元画像を上記倍率に応じて縮小した後、当該縮小した変換元画像に余白を付すとともに、必要に応じて当該倍率に応じた上記切捨領域を切り捨てることにより上記変換後画像を生成する
ことを特徴とする撮影方法。
【発明の詳細な説明】
【技術分野】
【０００１】
本発明は撮影装置及び撮影方法に関し、例えばディジタルスチルカメラやビデオカメラなどに適用して好適なものである。
【背景技術】
【０００２】
従来、ディジタルスチルカメラやビデオカメラなどの撮影装置は、静止画像若しくは動画像を、既存のテレビジョン方式と同一でなる４：３のアスペクト比（以下、これを標準アスペクト比と呼ぶ）で撮影していた。そして、これらの撮影装置で用いられる撮像素子も４：３の標準アスペクト比を有していた。
【０００３】
ところが近年では、ＨＤＴＶ（High Definition Television）と呼ばれる横長画面の高品位テレビジョン方式が普及しつつあり、これに対応して、１６：９等の横長アスペクト比で画像を撮影し得るようになされた撮影装置も提案されている（例えば、特許文献１参照）。
【特許文献１】特開２００６−２１７２１４公報
【発明の開示】
【発明が解決しようとする課題】
【０００４】
ここで、上述したような横長アスペクト比で画像を撮影し得る撮影装置では、撮像素子の入手性や、標準アスペクト比で画像を撮影する場合があることなどから、一般に標準アスペクト比の撮像素子が用いられている。
【０００５】
ところが、このような標準アスペクト比の撮像素子を用いて横長アスペクト比の画像を撮影する撮影装置では、図１に示すように、撮像素子１が捉えたアスペクト比４：３の変換元画像Ｐ１のうち上下それぞれ１／８（計１／４）の領域を切り捨てることにより、アスペクト比１６：９の変換後画像Ｐ２を生成することから、ユーザがより広い範囲を撮影するためにズームレンズを最大限広角に設定したとしても、撮像素子１が捕らえた被写体の一部は画像に反映されず、撮影者の意図通りに広い範囲を撮影し得ないという問題があった。
【０００６】
本発明は以上の点を考慮してなされたもので、必要に応じて広い範囲を撮影し得る撮影装置及び撮影方法を提案しようとするものである。
【課題を解決するための手段】
【０００７】
かかる課題を解決するため本発明の撮影装置においては、第１のアスペクト比で画像を撮像する撮像手段と、当該撮像手段で撮像された第１のアスペクト比でなる変換元画像の一部領域を切捨領域として切り捨てることにより、当該第１のアスペクト比と異なる第２のアスペクト比でなる変換後画像に変換するとともに、指定された変換後画像の倍率が変換元画像よりも低い場合は、変換元画像を倍率に応じて縮小した後、当該縮小した変換元画像に余白を付すとともに、必要に応じて当該倍率に応じた切捨領域を切り捨てることにより変換後画像を生成する画像処理手段とを設けるようにした。
【０００８】
変換元画像を倍率に応じて縮小した後、当該縮小した変換元画像に余白を付すとともに、必要に応じて当該倍率に応じた切捨領域を切り捨てて変換後画像を生成することにより、変換後画像の撮影範囲を広げることができる。
【０００９】
また本発明の撮影方法においては、撮像手段で撮像された第１のアスペクト比でなる変換元画像の一部領域を切捨領域として切り捨てることにより、当該第１のアスペクト比と異なる第２のアスペクト比でなる変換後画像に変換するとともに、指定された変換後画像の倍率が変換元画像よりも低い場合は、変換元画像を倍率に応じて縮小した後、当該縮小した変換元画像に余白を付すとともに、必要に応じて当該倍率に応じた切捨領域を切り捨てることにより上記変換後画像を生成するようにした。
【００１０】
変換元画像を倍率に応じて縮小した後、当該縮小した変換元画像に余白を付すとともに、必要に応じて当該倍率に応じた切捨領域を切り捨てて変換後画像を生成することにより、変換後画像の撮影範囲を広げることができる。
【発明の効果】
【００１１】
本発明によれば、撮像手段で撮像された変換元画像のアスペクト比を変更して変換後画像を生成する際、指定された変換後画像の倍率が変換元画像よりも低い場合は、変換元画像を倍率に応じて縮小した後、当該縮小した変換元画像に余白を付すとともに、必要に応じて当該倍率に応じた切捨領域を切り捨てることにより上記変換後画像を生成するようにしたことにより、変換後画像の撮影範囲を広げ得る撮影装置及び撮影方法を実現することができる。
【発明を実施するための最良の形態】
【００１２】
以下、図面について、本発明の一実施の形態を詳述する。
【００１３】
（１）ディジタルスチルカメラの全体構成
図２において、１０は本発明を適用した撮像装置としてのディジタルスチルカメラ（以下、単にディジタルカメラと呼ぶ）１０の回路構成を示し、例えばマイクロプロセッサからなる制御部１１が、図示しないＲＯＭ(Read Only Memory)に予め記憶された制御プログラムに従って当該ディジタルカメラ１０全体を制御するようになされている。
【００１４】
操作部１２は、シャッターボタン、ズームボタン、モード設定ダイヤル等の各種操作子で構成されており、制御部１１はこの操作部１２を介して入力された各種ユーザ操作を受け付けると、当該ユーザ操作に応じてディジタルカメラ１０の各部を制御し、撮影モードにおける画像の撮影、再生モードにおける撮影済み画像の表示、設定モードにおける各種設定等の機能を実行する。
【００１５】
レンズ部１３は、撮影画角を変更し得るズームレンズに対してフォーカス、ズーム並びに絞りを駆動するための各種アクチュエータが取り付けられて構成されており、制御部１１からの制御に応じてズーム駆動、フォーカス駆動並びに絞り駆動を行う。
【００１６】
すなわち制御部１１は、操作部１２のズームボタン（ズームイン及びズームアウト）に対する押下操作を検出すると、これに応じてレンズ部１３のズームアクチュエータ（図示せず）を駆動して、レンズ部１３の撮影画角を変化させる。また制御部１１は、撮像素子１４で撮像した画像データを用いてピント外れ量を検出し、これに基づいてレンズ部１３のフォーカスアクチュエータ（図示せず）を駆動し、レンズ部１３のオートフォーカス制御を行う。さらに制御部１１は、撮像素子１４で撮像した画像データの輝度等に基づいてレンズ部１３の絞りアクチュエータ（図示せず）を駆動し、自動露出制御を行う。
【００１７】
撮像素子１４は例えばＣＣＤ（Charge Coupled Device）でなり、４：３の標準アスペクト比を有している。そして、撮影モードにおいて撮像素子１４は、レンズ部１３を介して入射された被写体からの光をアナログの画像信号に変換し、さらにアナログ／ディジタル変換部１５でディジタル変換し画像データとして画像処理部１６に入力する。
【００１８】
撮影モードにおいて画像処理部１６は、入力された画像データに基づく画像を表示部１９に逐次表示してユーザに認識させるとともに、操作部１２のシャッターボタンに対する押下操作に応じて制御部１１から供給される撮影命令を受け取ると、画像データを画像メモリ１７に一旦記憶させる。
【００１９】
そして画像処理部１６は、当該画像データを画像メモリ１７から読み出し、画質補正や圧縮符号化、アスペクト比変換や後述するエクストラズームアウト処理等の各種処理を施すとともに、当該画像データに付随する情報、例えば、撮影時の撮影条件を示す情報や、輝度情報などの特性情報などを撮影情報として当該画像データに対して付加し、画像データと撮影情報とが格納された画像データファイルを形成して画像記録部１８に供給する。画像記録部１８は、画像データファイルをフラッシュメモリ等でなる記録媒体２０に記録する。
【００２０】
この撮影モードにおいて画像処理部１６は、撮像素子１４から供給された画像データを、ユーザによって設定されたアスペクト比に適宜変換して表示及び記録する。
【００２１】
すなわち画像処理部１６は、設定モードにおいて４：３の標準アスペクトモードが選択されている場合、撮像素子１４で撮像された標準アスペクト比でなる画像データを、アスペクト比を変換することなく４：３のまま表示及び記録する。
【００２２】
これに対して、設定モードにおいて１６：９のワイドアスペクトモードが選択されている場合、画像処理部１６は、撮像素子１４で撮像された画像データの上下それぞれ１／８（計１／４）の領域を切り捨てることにより、アスペクト比を４：３から１６：９へ変換して表示及び記録する。
【００２３】
また画像記録部１８は再生モードにおいて、操作部１２に対する再生に応じて制御部１１から供給される再生命令を受け取ると、画像データファイルを記録媒体２０から読み出して画像処理部１６に供給する。
【００２４】
再生モードにおいて画像処理部１６は、画像記録部１８から供給された画像データファイルに含まれる画像データに対して復号処理等の各種再生処理を施した後、当該画像データに基づく画像を表示部１９に表示してユーザに認識させる。
【００２５】
これに加えて画像処理部２０は、撮影中の画像データや再生した画像データを、入出力部２１を介してモニタ等の外部表示機器（図示せず）に供給して表示したり、さらには、入出力部２１を介してパーソナルコンピュータ等の外部機器（図示せず）との間で画像データの送受を行う。
【００２６】
（２）本発明による電子ズームアウト処理
上述したようにこのディジタルカメラ１０はズームレンズを有しており、操作部１２のズームボタンを操作することにより撮影画角を光学的に変化させることができる（以下、これを光学ズームと呼ぶ）。すなわちユーザは、操作部１２のズームインボタンを押下することにより、ズームレンズの撮影画角を望遠側へと変化させて、被写体をより大きく撮影することができ、また、操作部１２のズームアウトボタンを押下することにより、ズームレンズの撮影画角を広角側へと変化させて、より広い範囲の被写体を撮影することができる。なお、ズームレンズを広角端にセットした場合の撮影倍率Ｚを「１」とし、ズームレンズを望遠端にセットした場合の撮影倍率Ｚを「Ｚmax」とする。
【００２７】
すなわち図３（Ｃ）はズームレンズが広角端にセットされた状態（撮影倍率Ｚ＝１）を示し、図３（Ａ）はズームレンズが望遠端にセットされた状態（撮影倍率Ｚ＝Ｚmax）を示している。また図３（Ｂ）は、ズームレンズが広角端と望遠端の間にセットされた状態（１＜Ｚ＜Ｚmax）を示している。
【００２８】
ここで、上述したようにこのディジタルカメラ１０では、ユーザ設定においてワイドアスペクトモードを選択することにより、１６：９のワイドアスペクト比で画像を撮影することが可能であり、横長で広がり感を持った画像を得ることができる。
【００２９】
ところが、撮像素子１４で撮像した画像データをワイドアスペクト比に変換する際には、撮像素子１４で捉えた４：３の変換元画像Ｐ１の上下（図３（Ａ）〜（Ｃ）における上側切捨領域Ｃｕｐ及び下側切捨領域Ｃｄｎ）を切り捨てて１６：９の変換後画像Ｐ２を生成することから、ズームレンズを最大限広角側にセットしたとしても（図３（Ｃ）の状態）、変換元画像Ｐ１の上下の領域は変換後画像Ｐ２に反映されず、標準アスペクト比の場合に比べて撮影範囲が狭くなってしまうという問題がある。
【００３０】
このため本発明のディジタルカメラ１０は、ワイドアスペクト比モードの際、ズームレンズが広角端に達した状態（図３（Ｃ））でさらにズームアウトボタンが押下された場合、図３（Ｄ）に示すように、上側切捨領域Ｃｕｐ及び下側切捨領域Ｃｄｎの高さを徐々に小さくして撮影範囲を上下に広げていく。この場合、撮影範囲のアスペクト比が１６：９のワイドアスペクト比よりも縦長になってしまうことから、撮影範囲の左右に縦長の余白Ｓｒ及びＳｌを付して変換後画像Ｐ２のアスペクト比を１６：９に保つ。この本発明による、光学ズームの範囲を超えた擬似的なズームアウト処理を、エクストラズームアウトと呼ぶ。
【００３１】
そして、エクストラズームアウトを続けた結果、図３（Ｅ）に示すように上側切捨領域Ｃｕｐ及び下側切捨領域Ｃｄｎが消出した状態を、当該エクストラズームアウトの広角端とし、このときの撮影倍率Ｚを「Ｚmin」とする。
【００３２】
このように本発明のディジタルカメラ１０は、通常の光学ズーム範囲（１≦Ｚ≦Ｚmax）に加え、ワイドアスペクトモードにおいてはＺmin１≦Ｚ＜１の範囲でエクストラズームアウトを行い、より広い範囲を撮影することができる。
【００３３】
実際上、エクストラズームアウト時において画像処理部２０は、変換元画像Ｐ１を撮影倍率Ｚ（Ｚmin１≦Ｚ＜１）で縮小した後、当該縮小後の画像を変換後画像Ｐ２の高さで切り出す。この際に切り捨てられる上下部分が、上側切捨領域Ｃｕｐ及び下側切捨領域Ｃｄｎに相当する。このため、エクストラズームアウト時における上側切捨領域Ｃｕｐ及び下側切捨領域Ｃｄｎの高さは、撮影倍率Ｚに応じて連続的に変化する。
【００３４】
そして画像処理部２０は、切り出し後の画像の左右に余白Ｓｒ及びＳｌを付し、全体幅が変換後画像Ｐ２と同一になるように調整する。このため、当該余白Ｓｒ及びＳｌの幅も、撮影倍率Ｚに応じて連続的に変化する。
【００３５】
すなわち画像処理部２０はエクストラズームアウト時において、変換元画像Ｐ１を撮影倍率Ｚで縮小した後、変換後画像Ｐ２のアスペクト比に応じて切り捨て及び余白の付加を行うことにより、変換後画像Ｐ２を生成する。
【００３６】
このようにしてエクストラズームアウトで得られた画像データは、光学ズームで得られた画像データと同様に表示部１９に表示されるとともに、シャッターボタンの押下に応じて記録媒体２０に記録される。
【００３７】
次に、ワイドアスペクトモードが選択されている場合における、上述したエクストラズームアウトを含むディジタルカメラ１０のズーミング処理手順を、図４に示すフローチャートを用いて詳細に説明する。
【００３８】
ディジタルカメラ１０の制御部１１は、撮影モードにおいてワイドアスペクトモードが選択されると、図４に示すズーミング処理手順ＲＴ１を開始し、ステップＳＰ１において操作部１２のズームボタンに対する操作を所定間隔毎（例えば、０．５秒毎）に待ちうけ、当該ズームボタンに対する押下操作を検出すると次のステップＳＰ２に移る。
【００３９】
ステップＳＰ２において制御部１１は、ズームボタンに対する操作がズームイン操作であるかズームアウト操作であるかを判定する。
【００４０】
ステップＳＰ２において、ステップＳＰ１で検出された操作がズームインボタンに対する押下操作であった場合、制御部１１はステップＳＰ３に移る。
【００４１】
ステップＳＰ３において制御部１１は、現在設定されている撮影倍率Ｚに対しズーム変化係数αを乗算して新たな撮影倍率Ｚを算出し（撮影倍率Ｚの更新）、次のステップＳＰ４に移る。なお、撮影倍率Ｚの初期値は１≦Ｚ≦Ｚmaxであり、ズーム変化係数αは例えばα＝１．０５である。
【００４２】
ステップＳＰ４において制御部１１は、更新された撮影倍率ＺがＺmax以下であるかを判断する。ステップＳＰ４において肯定結果が得られた場合、このことはズームアップ操作された結果の撮影倍率ＺがＺmax以下であり、ディジタルカメラ１０のズーミング範囲内（光学ズーム及びエクストラズームアウト）にあることを表しており、このとき制御部１１は、更新された撮影倍率Ｚを変更することなく次のステップＳＰ９に移る。
【００４３】
これに対して、ステップＳＰ４において否定結果が得られた場合、このことはズームアップ操作された結果の撮影倍率ＺがＺmaxより大きく、ズーミング範囲の望遠端を越えていることを表しており、このとき制御部１１はステップＳＰ５に移り、更新された撮影倍率Ｚの値をＺmaxに再変更し、次のステップＳＰ９に移る。
【００４４】
一方、ステップＳＰ２において、ステップＳＰ１で検出された操作がズームアウトボタンに対する押下操作であった場合、制御部１１はステップＳＰ６に移る。
【００４５】
ステップＳＰ６において制御部１１は、現在設定されている撮影倍率Ｚに対しズーム変化係数αを除算して新たな撮影倍率Ｚを算出し、次のステップＳＰ７に移る。
【００４６】
ステップＳＰ７において制御部１１は、更新された撮影倍率ＺがＺmin以上であるかを判断する。ステップＳＰ７において肯定結果が得られた場合、このことはズームアップ操作された結果の撮影倍率ＺがＺmin以上であり、ディジタルカメラ１０のズーミング範囲内（光学ズーム及びエクストラズームアウト）にあることを表しており、このとき制御部１１は、更新された撮影倍率Ｚを変更することなく次のステップＳＰ９に移る。
【００４７】
これに対して、ステップＳＰ７において否定結果が得られた場合、このことはズームアップ操作された結果の撮影倍率ＺがＺminより小さく、エクストラズームアウトの広角端を越えていることを表しており、このとき制御部１１はステップＳＰ８に移り、更新された撮影倍率Ｚの値をＺminに再変更し、次のステップＳＰ９に移る。
【００４８】
そして制御部１１はステップＳＰ９において、更新された撮影倍率Ｚが１以上であるかを判定する。
【００４９】
ステップＳＰ９において肯定結果が得られた場合、このことは更新された撮影倍率Ｚが１以上であって、光学ズームの範囲内にあることを表しており、このとき制御部１１はステップＳＰ１０に移り、撮影倍率Ｚに応じてズームアクチュエータを駆動して撮影画角を変化させ、次のステップＳＰ１１に移る。
【００５０】
ステップＳＰ１１において制御部１１は画像処理部２０を制御し、図３（Ａ）〜３（Ｃ）に示すように、撮像素子１４が捉えた変換元画像Ｐ１における上側切捨領域Ｃｕｐ及び下側切捨領域Ｃｄｎを切り捨ててアスペクト比を変換し、１６：９のワイドアスペクト比でなる変換後画像Ｐ２の画像データを生成した後、ステップＳＰ１に戻って、再度ズームボタンに対する操作を待ち受ける。
【００５１】
これに対して、ステップＳＰ９において否定結果が得られた場合、このことは更新された撮影倍率Ｚが１未満であって、エクストラズームアウトの範囲内にあることを表しており、このとき制御部１１はステップＳＰ１２に移り、ズームアクチュエータを駆動してズームレンズを広角端にセットし（すなわち光学倍率１倍）、次のステップＳＰ１３に移る。
【００５２】
ステップＳＰ１３において制御部１１は画像処理部２０を制御し、変換元画像Ｐ１を撮影倍率Ｚ（Ｚmin１≦Ｚ＜１）で縮小した後、当該縮小後の画像を変換後画像Ｐ２の高さで切り出すとともに、切り出し後の画像の左右に余白Ｓｒ及びＳｌを付して、１６：９のワイドアスペクト比でなる変換後画像Ｐ２の画像データを生成した後、ステップＳＰ１に戻って、再度ズームボタンに対する操作を待ち受ける。
【００５３】
（３）動作及び効果
以上の構成において、ディジタルカメラ１０の制御部１１は、撮影モードにおいてワイドアスペクトモードが選択されると、４：３の撮像素子１４で撮像された変換元画像Ｐ１の上下を上側切捨領域Ｃｕｐ及び下側切捨領域Ｃｄｎとして切り捨てることにより、横長で広がり感を持った、１６：９のワイドアスペクト比を持つ変換後画像Ｐ２を生成する。
【００５４】
このとき制御部１１は、ズーム操作によって指定される撮影倍率Ｚに応じてズームアクチュエータを駆動し、１≦Ｚ≦Ｚmaxの範囲で光学ズームを行う。
【００５５】
これに加えて制御部１１は、更なるズームアウト操作によって１未満（Ｚmin１≦Ｚ＜１）の撮影倍率Ｚが指定されると、ズームレンズを広角端にセットした上で変換元画像Ｐ１を撮影倍率Ｚで縮小し、撮影倍率Ｚに応じて上側切捨領域Ｃｕｐ及び下側切捨領域Ｃｄｎを切り捨てるとともに左右に余白Ｓｒ及びＳｌを付するエクストラズームアウトを行って、変換後画像Ｐ２を生成する。
【００５６】
かかるエクストラズームアウトでは、水平方向の撮影範囲は光学ズームの広角端（Ｚ＝１）と同一であるものの、上下方向の撮影範囲は光学ズームの広角端よりも広くなる。このためエクストラズームアウトを行うことにより、撮像素子１４で撮像された変換元画像Ｐ１を有効利用して、広い範囲を撮影することができる。
【００５７】
例えば、高い建物を撮影する際、ワイドアスペクトモードでは光学ズームの広角端においても当該建物の上下が収まらない状態でも、本発明のエクストラズームアウトを行うことにより、建物全体を撮影することができる。
【００５８】
以上の構成によれば、ワイドアスペクトモードにおいて１未満の撮影倍率Ｚが指定された際、上側切捨領域Ｃｕｐ及び下側切捨領域Ｃｄｎを切り捨てるとともに左右に余白Ｓｒ及びＳｌを付して変換後画像Ｐ２を生成することにより、光学ズームの広角端よりもさらに広い範囲を撮影することができ、光学ズームのみの場合に比べて広い画角変化を得ることができる。
【００５９】
（４）他の実施の形態
なお上述の実施の形態においては、ワイドアスペクトモード時に４：３の変換元画像を１６：９の変換後画像に変換する場合について述べたが、本発明はこれに限らず、変換元画像のアスペクト比は４：３以外でも良く、また変換後画像のアスペクト比も１６：９以外でも良い。
【００６０】
さらに上述の実施の形態においては、元画像をさらに横長の変換後画像に変換する場合について述べたが、本発明はこれに限らず、１６：９のアスペクト比を持つ撮像素子で得た元画像を４：３のアスペクト比を持つ変換後画像に変換する場合など、変換後画像が元画像より縦長になるような場合にも適用できる。この場合、光学ズーム範囲では変換元画像の左右を切り捨てて変換後画像のアスペクト比を調整するとともに、エクストラズームアウト領域では、変換後画像の上下に余白を付してアスペクト比を調整する。
【００６１】
また上述の実施の形態においては、光学ズーム範囲よりも広角側の撮影倍率Ｚが指定された際にエクストラズームアウトを行うようにしたが、本発明はこれに限らず、光学ズーム範囲よりも望遠側の撮影倍率Ｚが指定された際には、変換元画像の一部領域を切り出し当該撮影倍率Ｚに応じて拡大する処理（いわゆる電子ズームイン）を行うようにしても良い。この場合、光学ズーム範囲を中心として、広角側では本発明のエクストラズームアウトを行い、望遠側では電子ズームインを行うことで、光学ズームのみの場合に比べて遙かに広い画角変化を得ることができる。
【００６２】
さらに上述の実施の形態においては、光学的に画角を変更し得るズームレンズを具えたディジタルカメラにおいて、広角端よりもさらに広角側の撮影倍率Ｚが指定された際にエクストラズームアウトを行うようにしたが、本発明はこれに限らず、固定焦点レンズを具えたディジタルカメラにも本発明を適用することができる。この場合でも、エクストラズームアウトを行うことでさらに広い範囲を撮影することができる。
【００６３】
さらに上述の実施の形態においては、本発明をディジタルスチルカメラに適用した場合について述べたが、本発明はこれに限らず、カメラ機能を有する携帯電話機や携帯情報端末、さらにはビデオカメラ等、静止画像や動画像を撮影する各種撮影装置に広く適用することができる。
【産業上の利用可能性】
【００６４】
本発明は、静止画や動画を撮影する種々の撮影装置に適用できる。
【図面の簡単な説明】
【００６５】
【図１】アスペクト比変換の説明に供する略線図である。
【図２】ディジタルスチルカメラの構成を示すブロック図である。
【図３】ズーミングに応じた撮影画像の変化を示す略線図である。
【図４】ズーミング処理手順を示すフローチャートである。
【符号の説明】
【００６６】
１０……ディジタルスチルカメラ、１１……制御部、１２……操作部、１３……レンズ部、１４……撮像素子、１５……アナログ／ディジタル変換部、１６……画像処理部、１７……画像メモリ、１８……画像記録部、１９……表示部、２０……記録媒体、２１……入出力部。
【図１】
2008199210.tif 000003
【図２】
2008199210.tif 000004
【図３】
2008199210.tif 000005
【図４】
2008199210.tif 000006